(57)【要約】【課題】            汎用されている腕時計型の受信端末は、その構成上必要となる金属やプラスチックで成形されたフレーム、バンド針の存在が特殊な仕事現場にあっては対象となる人体や商品を傷付けてしまう虞があり、時として環境上、その受信端末が汚損、損傷してしまう虞を有していたという点である。【解決手段】        少なくとも電気的に接続された電源部、回路基板及び受信内容を表示する表示部を有し、その各々の電源部、回路基板及び表示部を別個にパックして柔軟性を保有した合成ゴムあるいは合成樹脂製のベーステープ上に並列固定し、そのベーステープを、伸縮性を有する上肢もしくは上肢指に装着するバンド内に組み入れた構成としてあることとする。【選択図】          図１
2018046473.tif 000002
【特許請求の範囲】
【請求項１】
少なくとも電気的に接続された電源部、回路基板及び受信内容を表示する表示部を有し、その各々の電源部、回路基板及び表示部を別個にパックして柔軟性を保有した合成ゴムあるいは合成樹脂製のベーステープ上に並列固定し、そのベーステープを、伸縮性を有する上肢もしくは上肢指に装着するバンド内に組み入れた構成としてあることを特徴とする情報告知システム用の受信端末。
【請求項２】
前記したバンドはゴムを織り込み、重合構造としたリストバンド或いは手首や腕用のサポーターとしてあることを特徴とする請求項１に記載の情報告知システム用の受信端末。
【請求項３】
前記した電源部、回路基板及び表示部は各々防水処理が施されていることを特徴とする請求項１または２に記載の情報告知システム用の受信端末。
【請求項４】
前記したベーステープはバンドに対して着脱自在としてあることを特徴とする請求項１から３のうち１項に記載の情報告知システム用の受信端末。
【請求項５】
前記した電源部、回路基板及び表示部の表面には衝撃や汚損から保護するための保護カバーが備えられていることを特徴とする請求項１から４のうち１項に記載の情報告知システム用の受信端末。
【発明の詳細な説明】
【技術分野】
【０００１】
本発明は情報告知システム用の受信端末、主として視覚障害者や周囲環境に激しい騒音、雑音があり、状況変化の警報、通報あるいは緊急連絡を行なうについて、着信音が明瞭に聞こえないことを想定し、身に付けた受信端末を振動させて着信を知らせ、その情報内容を表示部に表示する情報告知システム用の受信端末に関する。
【背景技術】
【０００２】
従来、上記した受信端末として、利用度の高い腕時計タイプのものが知られている。このタイプのものは通常表示部には現在時刻がＬＣＤによって表示され時計の機能を奏するが、必要情報を送信器から受信すると表示が切り替わり、その情報内容を、例えば片仮名文字や図柄によって、受信端末の装着者に告知する。この情報の到達は、バイブレーション機能等によって知らしめられる。
【０００３】
かかる腕時計タイプの受信端末は軽量で使い勝手も良好で、多くの需要者や仕事現場で採用されている。しかしながら、個人的使用と異なる仕事現場、例えば福祉や介護、病院等にあっては腕時計を構成するフレームやバンド針等の部品が福祉、介護の対象者、患者の人体を傷付けてしまう虞があり、製品を製造する工場や倉庫、大型店舗等にあっては商品を傷付けてしまう虞もあった。また、自動車等の工場、特に塗装過程では塗料の飛散により受信端末が汚損、損傷してしまい、使用に不具合が生じてしまうことがあった。
【先行技術文献】
【特許文献】
【０００４】
【特許文献１】特開２０００−２０７６６１号公報
【発明の概要】
【発明が解決しようとする課題】
【０００５】
本発明が解決しようとする問題点は、汎用されている腕時計型の受信端末は、その構成上必要となる金属やプラスチックで成形されたフレーム、バンド針の存在が特殊な仕事現場にあっては対象となる人体や商品を傷付けてしまう虞があり、時として環境上、その受信端末が汚損、損傷してしまう虞を有していたという点である。
【課題を解決するための手段】
【０００６】
上記した問題点を解決するために、本発明に係る情報告知システム用の受信端末は、少なくとも電気的に接続された電源部、回路基板及び受信内容を表示する表示部を有し、その各々の電源部、回路基板及び表示部を別個にパックして柔軟性を保有した合成ゴムあるいは合成樹脂製のベーステープ上に並列固定し、そのベーステープを、伸縮性を有する上肢もしくは上肢指に装着するバンド内に組み入れた構成としてあることを特徴としている。
【０００７】
また、本発明に係る情報告知システム用の受信端末は、前記したバンドはゴムを織り込み、重合構造としたリストバンド或いは手首や腕用のサポーターとしてあることを特徴とし、前記した電源部、回路基板及び表示部は各々防水処理が施されていることを特徴としている。
【０００８】
さらに、本発明に係る情報告知システム用の受信端末は、前記したベーステープはバンドに対して着脱自在としてあることを特徴とし、前記した電源部、回路基板及び表示部の表面には衝撃や汚損から保護するための保護カバーが備えられていることを特徴としている。
【発明の効果】
【０００９】
本発明に係る情報告知システム用の受信端末は上記のように構成されている。そのため、仕事現場がどのような場合でも、対象となる人体や商品を受信端末の衝突や接触によって傷付けてしまう虞はなくなり、保護カバーの存在によって受信端末自体が汚損、損傷してしまう虞もなくなる。また、ベーステープがバンドに対して着脱自在としてあるので、バンドの洗浄を行なうこともできるようになっている。
【図面の簡単な説明】
【００１０】
【図１】本発明を実施した受信端末を示す斜視図である。
【図２】ベーステープを示す平面図である。
【発明を実施するための形態】
【００１１】
図面として示し、実施例で説明したように構成したことで実現した。
【実施例１】
【００１２】
次に、本発明の好ましい実施の一例を図面を参照して説明する。図中１は本発明を実施した個人ごとに装着する情報告知システム用の受信端末を示しており、２は無端のリング状に形成されたバンドを示している。このバンドはゴムを織り込む等して伸縮性を保有させた布地によって成形されている。このバンド２は既知のリストバンド状となっており、一枚の布地を折り返して重合させ、その折り返し縁部を縫着した構成のものが手首や腕に装着した際のフィット感や密着性が良好となる。
【００１３】
一方、図中３は受信作業を行なうための要素を並列固定しておくためのベーステープを示しており、このベーステープは柔軟性を有する合成ゴム或いは合成樹脂によって成形されている。
【００１４】
このベーステープ３は本実施例にあっては製作容易な矩形としてあるが、この形状は特にこだわるものではない。このベーステープ３の表面には受信機能として不可欠である電源部４、回路基板５及び表示部６が並列固定される。
【００１５】
前記した電源部４（バッテリー）、受信アンテナを含めた回路基板５（プリント回路基板）、表示部６（液晶ディスプレイ）は、各々別個にパックされ（容器に収容され）、そのパッケージごと接着剤によってベーステープ３の表面に並列固定される。
【００１６】
この電源部４、回路基板５、表示部６は防水処理が施され、または各々のパッケージに防水処理が施されたものとなっており、その各々の電源部４、回路基板５、表示部６は電気的に接続された構成とされている。この電気的接続は細電線よりも非接触で実行できる無線仕様が好ましい。
【００１７】
加えて、ベーステープ３の一部には電源のＯＮ、ＯＦＦや表示の消去、着信履歴等に機能を変更選択するためのボタンスイッチ７、７‥も必要に応じて設けられている。
【００１８】
ベーステープ３の表面に並列固定される回路基板５には送信された微弱電波、特に周囲に影響を与えることがない５００マイクロボルト以下の微弱電波を受けるアンテナの他、この微弱電波は時間を細分して使用し、見かけ上同時に動作が行なわれる時分割信号として入力される。アンテナで受信された信号は増幅され、発振、復調される。
【００１９】
この発振、復調された信号は波形を整形されてＣＰＵユニットに送られる。このＣＰＵユニットには制御、記憶のためＲＯＭ，ＲＡＭが付設され、合致するとその信号は表示部６のドライバユニット及び、モータドライバユニットに送られる。表示部６のドライバユニットからの信号は表示部６にＬＣＤとして例えば片仮名文字に加え、漢字、平仮名等で、半角で２０文字、全角で１０文字によって受信内容の情報を表示する。この表示がされたことを装着者に知らせるため、モータドライバユニットからの信号がモータを駆動して、連続的、或いは断続的なモータバイブレーションを起動し、その振動により装着者に知らせる。
【００２０】
また、特に図示していないが、この受信端末１に情報を送信するための送信器は、必要に応じて一台でも複数でもよく、遠距離となる場合には中継器を介在させることもできる。送信器内にはガス漏れ、加熱、火災、煙その他セキュリティ警報等々の種々の状況変化情報を感知するセンサーユニットが内蔵され、その情報を個別に設定したＩＤ信号としてアンテナから送信する。また、個人ごとに装着する受信端末１に送信機能も持たせることができ、その場合、各個人間での相互通信も可能となる。
【００２１】
前記したベーステープ３はバンド２の中に着脱自在に組み付けられている。この組み付けは、発明の目的である人体や商品の傷付けを防止することに鑑み、二重構造とした表面を切り起こした内面側に金属を用いない面状ファスナーを介して装着することが好ましい。この切り起こされた表面の片体８はベーステープ３の表面を覆う保護カバーとして作用させることができる。
【００２２】
また、この組み付けは、ベーステープ３のサイズによっては二重構造となっているバンド２の切り起こしで形成露呈する中空部に挿し込む構成とすることも可能である。ベーステープ３（受信要素）部分がバンド２から取り外すことが可能であるため、バンド２自体を洗濯する等のクリーン化も可能となる。
【００２３】
また、保護カバーとしての片体８はベーステープ３の一縁に一体的に備えることも可能で、この場合の片体８の素材はバンド２と同様のものが好ましいが、特にこだわる必要はない。
【００２４】
さらに、片体８の開閉方向についても、実施例ではバンド２の連続方向に対して直交する方向としてあるが、これにこだわらず、連続する方向、つまり、横開きとすることもできる。
【産業上の利用可能性】
【００２５】
本実施例に係る情報告知システム用の受信端末は上記のように構成されている。実施例ではバンド２を当初よりリング状とされたリストバンド状のものとしたが、これは腕や手首用のサポータータイプとすることも可能で必要な情報量によっては、更に小型の指輪タイプのものとすることもできる。また、バンド２は当初より無端のリング状ではなく、帯状とし、その両端を面状ファスナー等で止着する構成とすることもできる。
【符号の説明】
【００２６】
１    受信端末
２    バンド
３    ベーステープ
４    電源部
５    回路基板
６    表示部
７    ボタンスイッチ
８    片体
【図１】
2018046473.tif 000003
【図２】
2018046473.tif 000004